(57)【要約】【課題】部品点数が少なく、電流が流れた際の発熱を抑えることができる端子装置を提供する。【解決手段】角箱形端子金具２に端子座部４を一体的に設けた。そのため、従来では角箱形端子金具、端子ネジ、及び端子座の３つの部材からなっていたところ、角箱形端子金具２及び端子ネジ３の２つの部材から構成することができる。したがって、部品点数の削減を図ることができ、回路遮断器への設置作業が簡易となる。また、角箱形端子金具２と端子座部４との間に接触点が存在しないため、電流を流した際の発熱を抑えることができる。【選択図】図２
2015207365.tif 000002
【特許請求の範囲】
【請求項１】
上面、両側面、及び下面を囲むように金属板を折り曲げてなり、中央に前後方向へ開口する空間を有して、前記空間内に前記開口を介して電線を挿入可能であるとともに、前記下面が前後方向へ延設され、当該下面を機器内の電路と接続可能な端子座部とした角箱形端子金具と、
前記角箱形端子金具の上面から前記空間内へねじ込み可能であり、前記空間内に挿入された電線と前記端子座部とを電気的に接続させる端子ネジと
を備えてなることを特徴とする端子装置。
【請求項２】
前記角箱形端子金具における金属板の嵌め合わせ部が、左右何れかの前記側面に位置していることを特徴とする請求項１に記載の端子装置。
【請求項３】
前記角箱形端子金具における前記端子座部が形成されている側の開口に、電線の前記空間外への飛び出しを阻止するための線止め壁が、前記開口を塞ぐように折り曲げられて形成されていることを特徴とする請求項１又は２に記載の端子装置。
【発明の詳細な説明】
【技術分野】
【０００１】
本発明は、たとえば回路遮断器や開閉器等に使用する端子装置に関するものである。
【背景技術】
【０００２】
従来、たとえば回路遮断器の電源側端子や負荷側端子には、電線等を接続するための端子装置が設置されている（たとえば特許文献１）。この従来の端子装置について、図５をもとに説明すると、端子装置２１は、金属板を前後両側に開口する断面ロ字状に折り曲げて形成され、電線等を挿入可能な挿入空間Ｓを有する角箱形端子金具２２と、角箱形端子金具２２の上面から挿入空間Ｓ内へねじ込み可能な端子ネジ２３と、角箱形端子金具２２の一方の開口から挿入空間Ｓ内へ差し込み可能な帯状の端子座２４とからなる。なお、角箱形端子金具２２の嵌め合わせ部２２ａは、角箱形端子金具２２の下面に位置している。
【０００３】
上記端子装置２１は、端子座２４の一端を角箱形端子金具２２の挿入空間Ｓ内へ差し込んだ状態で、角箱形端子金具２２の他方の開口が回路遮断器の外側を向くような姿勢で回路遮断器のケース体に設置される。そして、角箱形端子金具２２の他方の開口から挿入空間Ｓ内へ挿入された電線を、端子ネジ２３をねじ込んで端子座２４と共に角箱形端子金具２２の下面へと押し付けることにより、電線と端子座２４の他端に接続されている回路遮断器内の電路とを電気的に接続可能となっている。
【先行技術文献】
【特許文献】
【０００４】
【特許文献１】特開２００１−１５５５７２号公報
【発明の概要】
【発明が解決しようとする課題】
【０００５】
しかしながら、従来の端子装置は、上述の如く角箱形端子金具２２、端子ネジ２３、及び端子座２４の３つの部材からなるため、部品点数が多く、回路遮断器等への設置作業が煩わしいという問題がある。また、角箱形端子金具２２と端子座２４との２つの部材が接触した状態にあるため、電流が流れた際に、角箱形端子金具２２と端子座２４との間の接触点において発熱しやすいという問題もある。
【０００６】
さらに、嵌め合わせ部２２ａが角箱形端子金具２２の下面に位置しているため、端子ネジ２３をねじ込んで電線及び端子座２４を角箱形端子金具２２の下面に押し付ける際、嵌め合わせ部２２ａに対して嵌め合わせが開く方向へ負荷がかかる。したがって、嵌め合わせ部２２ａが開きやすいという問題もある。
【０００７】
そこで、本発明は、上記問題に鑑みなされたものであって、部品点数が少なく、電流が流れた際の発熱を抑えることができる端子装置を提供しようとするものである。
【課題を解決するための手段】
【０００８】
上記目的を達成するために、本発明のうち請求項１に記載の発明は、上面、両側面、及び下面を囲むように金属板を折り曲げてなり、中央に前後方向へ開口する空間を有して、前記空間内に前記開口を介して電線を挿入可能であるとともに、前記下面が前後方向へ延設され、当該下面を機器内の電路と接続可能な端子座部とした角箱形端子金具と、前記角箱形端子金具の上面から前記空間内へねじ込み可能であり、前記空間内に挿入された電線と前記端子座部とを電気的に接続させる端子ネジとを備えてなることを特徴とする。
請求項２に記載の発明は、請求項１に記載の発明において、前記角箱形端子金具における金属板の嵌め合わせ部が、左右何れかの前記側面に位置していることを特徴とする。
請求項３に記載の発明は、請求項１又は２に記載の発明において、前記角箱形端子金具における前記端子座部が形成されている側の開口に、電線の前記空間外への飛び出しを阻止するための線止め壁が、前記開口を塞ぐように折り曲げられて形成されていることを特徴とする。
【発明の効果】
【０００９】
本発明によれば、上面、両側面、及び下面を囲むように金属板を折り曲げてなり、中央に前後方向へ開口する空間を有して、空間内に開口を介して電線を挿入可能であるとともに、下面が前後方向へ延設され、当該下面を機器内の電路と接続可能な端子座部とした角箱形端子金具を備えている。すなわち、端子座部を角箱形端子金具に一体的に形成しているため、従来では角箱形端子金具、端子ネジ、及び端子座の３つの部材からなっていたところ、角箱形端子金具及び端子ネジの２つの部材から構成することができる。したがって、部品点数の削減を図ることができ、回路遮断器への設置作業が簡易となる。さらに、角箱形端子金具と端子座部との間に接触点が存在しないため、電流を流した際の発熱を抑えることができる。
また、請求項２に記載の発明によれば、嵌め合わせ部を左右何れかの側面に位置させているため、端子ネジをねじ込み電線を端子座部と電気的に接続させる際、その負荷が嵌め合わせ部に直接かからない。したがって、嵌め合わせ部が開きにくい端子装置とすることができる。
さらに、請求項３に記載の発明によれば、角箱形端子金具における端子座部が形成されている側の開口に、電線の空間外への飛び出しを阻止するための線止め壁を、開口を塞ぐように折り曲げて形成している。すなわち、角箱形端子金具に線止め壁をも一体的に形成している。したがって、線止め壁を別部材として取り付けていた従来の端子装置と比べると、部品点数の一層の削減を図ることができ、回路遮断器等への設置作業が非常に簡易となる。
【図面の簡単な説明】
【００１０】
【図１】回路遮断器の上ケース及び下ケースを示した説明図である。
【図２】分解状態にある端子装置を示した斜視説明図である。
【図３】分解状態にある端子装置を示した斜視説明図である。
【図４】端子装置の変更例を示した斜視説明図である。
【図５】従来の端子装置の分解状態を示した斜視説明図である。
【発明を実施するための形態】
【００１１】
以下、本発明の一実施形態となる端子装置を備えた回路遮断器について、図面にもとづき詳細に説明する。
【００１２】
図１は、回路遮断器の上ケース１６及び下ケース１７を示した説明図である。図２及び３は、分解状態にある端子装置１を示した斜視説明図であり、図２は端子座部４側から、図３は図２の前後反対側から夫々示している。
回路遮断器は、合成樹脂製の上ケース１６及び下ケース１７を組み付けてなる本体ケースを有しており、下ケース１７の前部に電源側端子を構成する端子設置部１８、１８が、後部に負荷側端子を構成する端子設置部１９、１９が夫々設けられている。また、本体ケース内には、端子設置部１８に設置される端子装置１と端子設置部１９に設置される端子装置１とを電気的に接続するための電路（図示せず）が配設可能となっている。なお、２０は、電路をオン／オフ操作するための操作レバー（図示せず）を露出させるための操作窓である。
【００１３】
ここで、本発明の要部となる端子設置部１８、１９に設置される端子装置１について説明する。
端子装置１は、電線等を挿入可能な角箱形端子金具２と、角箱形端子金具２に対してねじ込み可能な端子ネジ３とを備えてなる。角箱形端子金具２は、金属板を上側の下面、一方の側面、上面、他方の側面、下側の下面、一方の側面の順で、上面、左右両側面、及び下面を囲むように断面ロ字状に折り曲げ、一方の側面において嵌め合わせることにより形成されるものである。したがって、嵌め合わせ部２ａは、角箱形端子金具２の一方の側面に位置している。また、角箱形端子金具２の中央に形成されている前後両側に開口する空間は、電線等を挿入可能な挿入空間Ｓとして機能する。さらに、角箱形端子金具２の下面（特に上側の下面）は、挿入空間Ｓよりも前後方向で外側へ突出するように延設されており、当該下面が、回路遮断器内の電路が接続される端子座部４として機能するようになっている。加えて、角箱形端子金具２の上面には、端子ネジ３を螺入するためのネジ孔５が設けられている。なお、６は、端子座部４の先端に設けられる丸孔である。
【００１４】
上記端子装置１は、端子座部４が本体ケースの内部側へ向く姿勢で角箱形端子金具２を端子設置部１８、１９に収納し、上ケース１６と下ケース１７とを組み付けることにより、本体ケース内に設置される。そして、このように設置された端子装置１は、本体ケースの外側から角箱形端子金具２の挿入空間Ｓ内へ電線を挿入した後、端子ネジ３を上方から挿入空間Ｓ内へねじ込み、角箱形端子金具２の端子座部４へ電線を押し付けることにより、電線と端子座部４の先端に接続される回路遮断器内の電路とを電気的に接続可能となっている。
【００１５】
以上のような構成を有する端子装置１によれば、角箱形端子金具２に端子座部４を一体的に設けているため、従来では角箱形端子金具、端子ネジ、及び端子座の３つの部材からなっていたところ、角箱形端子金具２及び端子ネジ３の２つの部材から構成することができる。したがって、部品点数の削減を図ることができ、回路遮断器への設置作業が簡易となる。また、角箱形端子金具２と端子座部４との間に接触点が存在しないため、電流を流した際の発熱を抑えることができる。
さらに、嵌め合わせ部２ａを側面に位置させているため、端子ネジ３をねじ込み電線を端子座部４に押し付ける際、その負荷が嵌め合わせ部２ａに直接かからない。したがって、嵌め合わせ部２ａが開きにくい端子装置１とすることができる。
【００１６】
なお、本発明に係る端子装置は、上記実施形態の態様に何ら限定されるものではなく、角箱形端子金具等の構成についても、本発明の趣旨を逸脱しない範囲で、必要に応じて適宜変更することができる。
【００１７】
たとえば、上記実施形態の端子装置１に代えて、図４に示すような端子装置１１も考えられる。端子装置１１は、端子装置１同様、角箱形端子金具１２に端子座部１４が一体的に設けられている。ただ、角箱形端子金具１２には、端子座部１４側の開口を閉塞するように折り曲げられてなる線止め壁１３も一体的に設けられている。該線止め壁１３は、他方の開口から挿入空間Ｓ内へ電線を挿入した際に、電線が挿入空間Ｓを越えて端子座部１４側へ飛び出してしまうことを阻止するためのものである。このような線止め壁１３をも一体的に設けることで、線止め壁を別部材として取り付けていた従来の端子装置と比べると、部品点数の一層の削減を図ることができ、回路遮断器等への設置作業が非常に簡易となるといった効果がある。なお、図４中における１２ａは、角箱形端子金具１２を成形するに際しての嵌め合わせ部であり、１５は端子ネジ３をねじ込むためのネジ孔である。
【００１８】
また、上記実施形態では、角箱形端子金具２の上側の下面を延設して端子座部４を形成しているが、角箱形端子金具２の下側の下面を延設して端子座部４を形成してもよい。さらに、角箱形端子金具２の折り曲げ態様を異ならせ、角箱形端子金具２の下面が二重ではなく一重となるように構成しても何ら問題はない。さらにまた、角箱形端子金具２の嵌め合わせ部２ａを、従来同様、下面に位置させてもよい。
加えて、上記実施形態では、回路遮断器に設置する端子装置について説明しているが、本発明に係る端子装置は、開閉器等の他の電気機器の端子としても好適に利用することができる。
【符号の説明】
【００１９】
１、１１・・端子装置、２、１２・・角箱形端子金具、２ａ、１２ａ・・嵌め合わせ部、３・・端子ネジ、４、１４・・端子座部、１３・・線止め壁、Ｓ・・挿入空間。
【図１】
2015207365.tif 000003
【図２】
2015207365.tif 000004
【図３】
2015207365.tif 000005
【図４】
2015207365.tif 000006
【図５】
2015207365.tif 000007